(57)【要約】【課題】自動車内で聴音試験を実行するための聴音試験システム及び方法を適用する技術を提供する。【解決手段】本発明は、例えば被験者が音場の音品質又は他の音知覚特性を評価する聴音試験における用途に対する筐体内の音場のシミュレーションに関する。特定的な実施形態によると、システムは、例えばデータベース（３１）に格納された実際の室の測定インパルス応答に基づいて音再現機器からの音を合成するバイノーラル合成部分と、室内で行われた他の音信号のバイノーラル録音を格納するためのデータベース３２を含むバイノーラル録音部分とを含む。これらのデータベースからのデータは、混合されて（４１）、試聴者の頭部の移動を追跡するための頭部追跡器（４２）を設けたヘッドフォン（３９）を用いて再現される。本発明は、更に、シミュレーション処理中に試聴者の頭部の移動を考慮する動的聴音条件を可能にするクロスフェード関数（３６、３７）の使用を含む。【選択図】図３
2008546270.tif 000002
【特許請求の範囲】
【請求項１】
ラウドスピーカのような１つ又はそれよりも多くの変換器（６、７、８、９）を含む電気音響再現機器（６、７、８、９、１１）によって部屋に少なくとも部分的に発生された音場を特徴付ける音響量又は音サンプルを録音するためのシステムであって、
部屋の音のバイノーラル録音を行うための人工頭部（１２）及び胴体部分（１３）を含む音響マネキン（１２、１３）と、
電気音響再現機器の入力端子（ＩL、ＩR）に測定信号（１６）を供給するための発生器手段（１０）と、
音場に対して所定の向きＲを有する前記人工頭部（１２）の外耳道模造物内で又はその模造物で発生した音圧と前記電気音響再現機器への入力信号との間の関係を特徴付ける関数Ｈ（Ｒ）を判断するための判断手段（１０）と、
を含み、
前記関数Ｈ（Ｒ）を格納するための記憶手段（３１）と、
背景ノイズのような前記音場の他の信号成分の前記音響マネキン（１２、１３）を用いて行われたバイノーラル録音Ｎi（Ｒ）を格納するための記憶手段（３２）と、
を更に含むことを特徴とするシステム。
【請求項２】
前記関数Ｈ（Ｒ）は、前記入力端子（ＩL、ＩR）のうちの所定のものに前記測定信号（１６）を供給し、該測定信号（１６）に基づいて前記変換器（６、７、８、９）の全てから同時に音を放射することによって判断されることを特徴とする請求項１に記載のシステム。
【請求項３】
前記関数Ｈ（Ｒ）は、前記入力端子（ＩL、ＩR）のうちの所定のものに前記測定信号（１６）を供給し、該測定信号（１６）に基づいて一度に単一の前記変換器（６、７、８、９）から又は一度に所定数の該変換器（６、７、８、９）から音を放射し、それによって個々の関数ＨIND（Ｒ）が判断され、これらの個々の関数ＨIND（Ｒ）に基づいて該関数Ｈ（Ｒ）を判断することによって判断されることを特徴とする請求項１に記載のシステム。
【請求項４】
前記関数Ｈ（Ｒ）又はＨIND（Ｒ）は、バイノーラル室内インパルス応答ＢＲＩＲであることを特徴とする請求項１、請求項２、又は請求項３に記載のシステム。
【請求項５】
前記関数Ｈ（Ｒ）は、バイノーラル伝達関数Ｈ（ｆ；Ｒ）であることを特徴とする請求項１、請求項２、又は請求項３に記載のシステム。
【請求項６】
発話のような競合する音の信号を放出するための音発生手段を更に含むことを特徴とする請求項１から請求項５のいずれか１項に記載のシステム。
【請求項７】
前記音発生手段は、人工の口（２４’）を設けた音響マネキン（２４）であることを特徴とする請求項６に記載のシステム。
【請求項８】
前記音場に対して所定の向きＲを有する前記人工頭部（１２）の外耳道模造物内で又はその模造物で発生される音圧と、前記音発生手段（２４、２４’）に供給される入力信号との間の関係を特徴付ける関数ＨC（ＲC；Ｒ）を格納するための記憶手段（５８）が更に設けられ、ＲCは、該音場に対する該音発生手段（２４）の向きを表すことを特徴とする請求項６又は請求項７に記載のシステム。
【請求項９】
前記関数ＨC（ＲC；Ｒ）は、前記競合音に対応するバイノーラル室内インパルス応答ＢＲＩＲCであることを特徴とする請求項８に記載のシステム。
【請求項１０】
前記関数ＨC（ＲC；Ｒ）は、前記競合音に対応するバイノーラル伝達関数ＨC（ｆ；Ｒ）であることを特徴とする請求項８に記載のシステム。
【請求項１１】
前記部屋は、車両（１）の客室（２）であることを特徴とする請求項１から請求項１０のいずれか１項に記載のシステム。
【請求項１２】
部屋の模擬音場に対して聴音試験を実行するためのシステムであって、
音場に対して所定の向きＲを有する人工頭部（１２）の外耳道模造物内で又はその模造物で発生した音圧と、部屋に設けた電気音響再現機器（６、７、８、９、１１）への入力信号との間の関係を特徴付ける関数Ｈ（Ｒ）を格納するための記憶手段（３１）と、
前記部屋で作られた音信号のバイノーラル録音Ｎi（Ｒ）を格納するための記憶手段（３２）と、
望ましい音信号（４７）を供給するための手段（３０）と、
被験者に音響試験信号を供給し、前記音場に対する該被験者の頭部の移動及び／又は向きを追跡するための追跡手段（４２）が設けられたバイノーラル音再現手段（３９）と、
前記追跡手段（４２）によって感知される前記被験者の前記移動及び／又は向きに依存して前記望ましい音信号（４７）を処理するための処理手段（３４）と、
前記処理された望ましい音信号（４９）を前記音信号のバイノーラル録音又はこれらの信号の処理済み（３７）バージョン（７０）と所定の割合で混合し、それによって混合信号（５０）を準備するための混合手段（４１）と、
前記混合済み信号（５０）を前記バイノーラル音再現手段（３９）の入力端子に供給するための手段（４０）と、
を含むことを特徴とするシステム。
【請求項１３】
前記記憶手段（３１）は、代替的又は更に個々の関数ＨIND（Ｒ）を格納することを特徴とする請求項１２に記載のシステム。
【請求項１４】
前記処理手段（３４）は、前記個々の関数ＨIND（Ｒ）に基づいて前記関数Ｈ（Ｒ）を判断するための手段を更に含むことを特徴とする請求項１３に記載のシステム。
【請求項１５】
前記関数Ｈ（Ｒ）又はＨIND（Ｒ）は、バイノーラル室内インパルス応答ＢＲＩＲであり、
前記処理手段（３４）は、選択した望ましい音信号（４７）の選択したバイノーラル室内インパルス応答との畳み込みを実行するための手段（３５）を含む、
ことを特徴とする請求項１２、請求項１３、又は請求項１４に記載のシステム。
【請求項１６】
前記追跡手段（４２）による前記被験者の前記頭部の追跡に基づいて選択される２つのバイノーラル室内インパルス応答（ＢＲＩＲn及びＢＲＩＲn±1）（４５、４６）との前記選択した望ましい音信号（４７）の畳み込みが、前記処理手段（３４）において行われ、従って、該望ましい音信号（４７）のそれぞれ第１及び第２の処理済みバージョン（３３’、３３’’）がもたらされ、該２つのバージョン（３３’、３３’’）は、クロスフェード手段（３６’、３６’’）に別々に供給され、これらのクロスフェード手段の各々からの出力信号は、該処理手段（３４）からの結合された出力信号（４９）を準備するために結合手段（７１）に供給されることを特徴とする請求項１５に記載のシステム。
【請求項１７】
前記クロスフェード手段（３６）は、前記第１のバージョン（３３’）を第１の時間依存関数ｑ（ｔ）と乗算して第１の出力信号を生成するための手段（３６’）と、前記第２のバージョン（３３’’）を第２の時間依存関数ｐ（ｔ）と乗算して第２の出力信号を生成するための手段（３６’’）と、該第１及び第２の出力信号を加算するための手段（７１）とを含むことを特徴とする請求項１６に記載のシステム。
【請求項１８】
前記第２の関数ｐ（ｔ）は、１／ｑ（ｔ）に等しいことを特徴とする請求項１７に記載のシステム。
【請求項１９】
バイノーラルで録音した信号の前記処理済み（３７）バージョン（７０）は、これらの信号Ｈ（Ｒ）の所定のものと前記人工頭部（１２）の隣接向きで録音された隣接信号との間で実行されるクロスフェードによって得られることを特徴とする請求項１２から請求項１８のいずれか１項に記載のシステム。
【請求項２０】
前記クロスフェードは、所定のノイズ信号Ｎi（Ｒ）の第１の時間依存関数との乗算、前記隣接ノイズ信号の第２の時間依存関数との乗算、及びこれらの２つの乗算された信号の結合／加算を伴い、それによって前記バイノーラルで録音された信号の前記処理済みバージョン（７０）が得られることを特徴とする請求項１９に記載のシステム。
【請求項２１】
音楽抄録のような望ましい音信号のサンプルを格納するための記憶手段（３０）を更に含むことを特徴とする請求項１２から請求項２０のいずれか１項に記載のシステムで。
【請求項２２】
ＲCが、前記音場に対する前記音発生手段（２４）の向きを表す時に、該音場に対して所定の向きＲを有する前記人工頭部（１２）の前記外耳道模造物内で又はその模造物で発生される音圧と、該音発生手段（２４）に供給される入力信号との間の関係を特徴付ける関数ＨC（ＲC；Ｒ）を格納するための記憶手段（５８）と、
前記追跡手段（４２）によって感知される前記被験者の前記移動及び／又は向きに依存する競合音信号（６８）を処理し、それによって処理済み競合音信号（６７）を準備するための処理手段（６０）と、
前記処理済み競合音信号（４７）を前記音信号のバイノーラル録音又はこれらの信号の処理済み（３７）バージョン（７０）、及び望ましい音信号の前記処理済みバージョン（４９）と所定の割合で混合し、それによって混合信号（５０）を準備するための混合手段（４１）と、
を更に含むことを特徴とする、請求項８に従属する時の請求項１２から請求項２１のいずれか１項に記載のシステム。
【請求項２３】
前記関数ＨC（ＲC；Ｒ）は、バイノーラル室内インパルス応答ＢＲＩＲCであり、
前記処理手段（６０）は、競合音に対応する選択バイノーラル室内インパルス応答ＢＲＩＲCとの選択競合音信号（６８）の畳み込みを実行するための手段（６１）を含む、
ことを特徴とする請求項２２に記載のシステム。
【請求項２４】
前記追跡手段（４２）による前記被験者の前記頭部の追跡に基づいて選択される２つのバイノーラル室内インパルス応答（ＢＲＩＲC、n及びＢＲＩＲC、n±m）（６５、６６）との前記選択競合音信号（６８）の畳み込みが、前記処理手段（６０）において行われ、従って、該競合音信号（６８）のそれぞれ第１及び第２の処理済みバージョン（６１’、６１’’）がもたらされ、該２つのバージョン（６１’、６１’’）は、クロスフェード手段（６２’、６２’’）に別々に供給され、これらのクロスフェード手段の各々からの出力信号は、該処理手段（６０）からの結合された出力信号（６７）を準備するために結合手段（６３）に供給されることを特徴とする請求項２３に記載のシステム。
【請求項２５】
前記クロスフェード手段（６２）は、前記第１のバージョン（６１’）を第１の時間依存関数ｑ（ｔ）と乗算して第１の出力信号を生成するための手段（６２’）と、前記第２のバージョン（６１’’）を第２の時間依存関数ｐ1（ｔ）と乗算して第２の出力信号を生成するための手段（６２’’）とを含むことを特徴とする請求項２４に記載のシステム。
【請求項２６】
前記第２の関数ｐ1（ｔ）は、１／ｑ1（ｔ）に等しいことを特徴とする請求項２５に記載のシステム。
【請求項２７】
発話のような競合する音の信号のサンプルを格納するための記憶手段（５９）を更に含むことを特徴とする請求項２２から請求項２６のいずれか１項に記載のシステム。
【請求項２８】
前記記憶手段（３０、３１、３２、５９）からのデータの供給を制御し、かつ前記被験者からの応答を受信し、任意的にそれを分析及び／又は録音するための操作システム（３８）を更に含むことを特徴とする請求項１２から請求項２７のいずれか１項に記載のシステム。
【請求項２９】
車両の客室のような部屋の音場を発生させるために、少なくとも部分的に１つ又はそれよりも多くの変換器（６、７、８、９）を含む音再現機器によって発生された全体の音場を模擬する方法であって、
音再現機器に対応するバイノーラル室内インパルス応答のような複数の関数Ｈ（Ｒ）又はＨIND（Ｒ）を判断し、これらの関数／インパルス応答を格納する段階と、
部屋の背景ノイズのような他の音の成分の複数のバイノーラル録音を行い、これらの録音を格納する段階と、
前記バイノーラル室内インパルス応答のうちの選択したものを望ましい音信号のサンプルと畳み込んで、この音に対応する得られる部屋関連シミュレーション信号を与える段階と、
前記得られるシミュレーション信号を前記複数のバイノーラル録音のうちの選択したものと混合し、それによって適切なバイノーラル変換器手段を通じて被験者に供給するためのバイノーラル試験信号を取得する段階と、
を含み、
バイノーラル変換器手段には、被験者の頭部の動き及び／又は向きを追跡するための手段が設けられ、
前記追跡手段によって供給される信号は、バイノーラル室内インパルス応答及びバイノーラル録音を選択するために用いられる、
ことを特徴とする方法。
【請求項３０】
前記バイノーラル室内インパルス応答のような前記関数Ｈ（Ｒ）又はＨIND（Ｒ）は、前記音再現機器の所定の入力端子（ＩL、ＩR）に測定信号（１６）を供給し、該測定信号（１６）に基づいて前記変換器（６、７、８、９）の全てから同時に音を放射することによって判断されることを特徴とする請求項２９に記載の方法。
【請求項３１】
前記バイノーラル室内インパルス応答のような前記関数Ｈ（Ｒ）又はＨIND（Ｒ）は、前記音再現機器の入力端子（ＩL、ＩR）のうちの所定のものに測定信号（１６）を供給し、該測定信号（１６）に基づいて、一度に前記変換器（６、７、８、９）のうちの所定のものから又は一度に所定数の該変換器（６、７、８、９）から音を放射することによって判断されることを特徴とする請求項２９に記載の方法。
【請求項３２】
クロスフェードが、それぞれ、所定の第１のバイノーラル室内インパルス応答（ＢＲＩＲn）と隣接する第２のバイノーラル室内インパルス応答（ＢＲＩＲn±m）との間、及び該第１のバイノーラル室内インパルス応答に対応する所定のバイノーラル録音と該第２のバイノーラル室内インパルス応答に対応する隣接バイノーラル録音との間に設けられ、前記追跡手段によって供給される前記信号によって制御されることを特徴とする請求項２９、請求項３０、又は請求項３１に記載の方法。
【請求項３３】
競合音に対応する第２のバイノーラル室内インパルス応答のような複数の第２の関数ＨC（ＲC；Ｒ）を判断し、これらの関数／応答を格納する段階と、
前記第２の関数又はバイノーラル室内インパルス応答のうちの選択したものを競合する音の信号のサンプルと共に処理／畳み込んで、この競合音に対応する得られる第２の部屋関連シミュレーション信号を与える段階と、
望ましい音のシミュレーション、競合音、及び背景ノイズを含む得られる試験信号を適切なバイノーラル変換器手段を通じて被験者に供給するために、前記得られる第２のシミュレーション信号と前記バイノーラル試験信号を混合する段階と、
を更に含むことを特徴とする請求項２９から請求項３２のいずれか１項に記載の方法。
【請求項３４】
車両の客室のような筐体における音場に関連する心理音響属性の評価、又は異なる車両の客室における音場に関連するそのような心理音響属性の比較のための請求項１から請求項１１のいずれか１項に記載のシステム及び請求項１２から請求項２８のいずれか１項に記載のシステム、又は請求項２９から請求項３３のいずれか１項に記載の方法の使用。
【請求項３５】
少なくとも車両の客室、航空機の客室、鉄道の客室、スペースシャトル、集会ホール、台所、及び浴室の環境における音響環境を模擬するための請求項１から請求項１１のいずれか１項に記載のシステム及び請求項１２から請求項２８のいずれか１項に記載のシステム、又は請求項２９から請求項３２のいずれか１項に記載の方法の使用。
【請求項３６】
Ｎi（Ｒ）が、主要信号であると考えられ、かつ乗用車以外の様々な種類の大型機械のような他の音発生エンティティに由来することを特徴とする請求項１に記載のシステム。
【請求項３７】
Ｎi（Ｒ）が、試聴者に供給される唯一の信号であり、従って、前記Ｈ（Ｒ）に関連する音信号が、オフにされることを特徴とする請求項１２に記載のシステム。
【請求項３８】
音場を模擬する方法であって、
音場における試聴者の頭部の異なる向きに対応して、該音場の複数の格納したバイノーラル録音を準備する段階と、
前記試聴者の頭部の実際の向きに基づいて選択される前記バイノーラル録音の所定のものをバイノーラル再現変換器を通じて試聴者に供給する段階と、
前記試聴者が前記頭部の向きを変える場合に、該試聴者の頭部の新しい向きに基づいて選択された前記複数のバイノーラル録音の第２のものに対してクロスフェードする段階と、
を含むことを特徴とする方法。
【発明の詳細な説明】
【技術分野】
【０００１】
本発明は、一般的に、バイノーラル合成、録音、及び再生を適用し、かつ被験者が音響環境に関連する聴音試験をその環境に実際に存在する必要なしに実行することを可能にするための聴音試験システム及び方法、より具体的には、自動車内で聴音試験を実行するためのそのようなシステム及び方法の適用に関する。
【背景技術】
【０００２】
オーディオ再生システム及びアルゴリズムを実際的な条件の下で、すなわち、そのようなシステム及びアルゴリズムが用いられることになる環境下で比較することができることが望ましい。そのような環境は、原則としていかなる聴音室でもよいが、非常に制限された寸法の部屋及び有意な背景ノイズ又は他の競合する音が存在する部屋では特定の問題に遭遇する。この種類の環境の例は、自動車の客室である。近年、自動車内で用いるためのオーディオ機器は、益々精巧で強力なものになってきており、家庭における高忠実度音再生に同等の高忠実度再生をもたらすことができる。この発展は、車両内に設置された機器の音品質の実際的な評価を可能にする測定システム及び方法と、異なる機器及び／又は車両間の音品質の比較とに対する自動車オーディオ機器の製造業者からの増加する要望をもたらしている。上述の評価及び比較は、多くの場合に、一団の被験者が参加するＡ／Ｂ比較聴音試験を伴い、被験者は、車両の客室内の所定のシステムによって再現された音品質又は音に付随する他の心理音響属性を評価し、この評価した音品質を同じ車両客室内の別のシステム又は他のパラメータ設定値を有する同じシステムの音品質又は上述したものに類似する他の属性と比較する。代替的に、実験的設計の当業技術で公知の実験プロトコルに従って、同じパラメータ設定値を有するが２つの異なる車両に設置された同じシステムをＡ／Ｂ比較によって比較することができる。
【０００３】
Ａ／Ｂ比較及びこの件に関しては被験者が参加する他の評価技術も、自動車オーディオ機器に関連して原位置で実行するのは困難であり、時間を消費し、かつ高価である。具体的には、乗用車を実際に運転する間に乗用車の運転者にそのような聴音試験に参加させるのは不可能であるか又は少なくとも推奨できないであろう。従って、シミュレーションが、車両客室に設置された音再現機器だけではなく、客室内の様々な背景ノイズ及び任意的に例えば運転者の隣に座っている人物の会話のような車両客室内の試聴者の音知覚にある程度影響を与える場合がある車両内の競合音も考慮する、車両の客室内で発生する音場を実際的に模擬するためのシミュレーションシステム及び方法に対する必要性が存在する。
【発明の開示】
【０００４】
上述の背景に対して、本発明の目的は、実際的なＡ／Ｂ比較及び被験者を伴う他の試験手順を実行するためのシステム及び方法を提供することであり、このシステム及び方法は、自動車環境、具体的には乗用車の客室内の音品質及び他の心理音響属性を評価するのに、排他的に適するということではないが、特に適している。
より一般的な意味で、本発明の更に別の目的は、例えば筐体内の音響環境を模擬するためのシステム及び方法を提供することである。一般的に、シミュレーションは、音響環境のあらゆる知覚的に関連する量を含む。具体的には、自動車の客室内の音場のシミュレーションを本発明の詳細説明において詳細に扱うが、これは、本発明によるシステム及び方法の適用性の制限と見なさないものとする。従って、例えば、本発明によるシステム及び方法は、航空機の客室、鉄道の客室、スペースシャトル、集会ホール、台所、及び多くの他の環境における音響環境を模擬するために用いることができると考えられる。
【０００５】
上述の目的及び利点は、特許請求の範囲の請求項１に定める電気音響再現機器によって少なくとも部分的に発生する音場を特徴付ける音響量又は音サンプルを録音するための本発明によるシステムと、請求項１０に定める例えば車両客室のような室内の模擬音場に対して聴音試験を実行するための本発明によるシステムと、請求項２５に定める本発明による方法とによって得られる。本発明によるシステム及び方法の様々な実施形態は、従属請求項によって規定され、本発明の詳細説明において詳細に以下に説明する。
【０００６】
すなわち、本発明によると、例えば、聴音室内、排他的でなく具体的には乗用車の客室内でオーディオ機器によって少なくとも部分的に発生した音場の心理音響属性について聴音試験を実行するのに用いることができるシステムが提供され、このシステムは、部屋又は客室内の実際の音場のバイノーラル録音を行うためのバイノーラル録音システムと、この部屋又は客室内に設置されたオーディオ機器によって試聴者に供給される音（例えば、試聴者の外耳道内の音圧）を模擬するためのバイノーラル合成システムと、部屋又は客室の模擬音場のバイノーラル再現のためのバイノーラル再生システムとを含む。本発明による好ましい実施形態によると、再生は、被験者が着用する１対のヘッドフォンを通じて行うが、原則としてラウドスピーカを通じても再生を行うことができるであろう。更に、好ましい実施形態によると、システムには、被験者頭部の移動を感知して相応に反応するための手段が設けられる。
【０００７】
本発明によると、従って、室内に設置された電気音響再現機器によって音場を部分的に発生させることができると考えられる車両客室のような部屋の音場を特徴付ける音響量又は音サンプルを録音するためのシステムが提供され、システムは、この部屋の音のバイノーラル録音を行うための人工頭部及び胴体部分を含む音響マネキンと、電気音響再現機器の入力端子に測定信号を供給するための信号発生器手段と、音場に対する所定の向きＲを有する人工頭部の外耳道模造物内で又は模造物で発生した音圧と電気音響再現機器への入力信号との間の関係を特徴付ける関数Ｈ（Ｒ）を判断するための判断手段とを含み、システムは、更に、関数Ｈ（Ｒ）を格納するための記憶手段と、例えば車両のエンジンに起因する背景ノイズ、風のノイズ、タイヤからのノイズなどのような音場の他の信号成分の音響マネキンを用いて行われたバイノーラル録音を格納するための記憶手段とを含む。
【０００８】
本発明の第１の実施形態によると、関数Ｈ（Ｒ）は、電気音響再現機器の所定の入力端子に適切な信号を供給することによって測定され、この信号は、再現機器における処理の後に再現システムの全てのラウドスピーカから同時に発せられ、従って、室内の全ての得られる音場をもたらし、この音場は、音響マネキンを用いて録音され、マネキンの耳部模造物内のマイクロフォンからの左右の出力信号に変換される。従って、本発明のこの実施形態による関数Ｈ（Ｒ）は、各個々のラウドスピーカを含む個々の再現ラインではなく、所定の室内の全体の音設備の１つの入力端子又チャンネルを特徴付ける。
【０００９】
代替的に、各個々の再現ラインを特徴付ける関数ＨIND（Ｒ）は、一度に１つのラウドスピーカに電気音響再現機器から出力信号を供給することによって判断することができると考えられ、従って、各個々の再現ラインに対応する関数ＨIND（Ｒ）を判断し、これらの関数に基づいて、全体の再現システムを特徴付ける全体関数Ｈ（Ｒ）を判断する。この代替案は、それが、別々に設備の各個々のラウドスピーカ（車両のドアに装着されたラウドスピーカ等）から又は所定のラウドスピーカのサブグループ（対応するＨIND（Ｒ）の判断中に全てが音を放射している）、例えば、周囲の音設備内の全ての前部ラウドスピーカからの音再現を最適化する可能性を提供する点で有利であると考えられる。
【００１０】
本発明の特定的な実施形態によると、特徴付け関数Ｈ（Ｒ）は、一度に再現機器の１つの入力端子に発生／分析装置からの適切な信号を供給し、発生／分析装置により人工頭部の外耳道及び耳翼模造物における対応する音圧を録音及び分析することによって取得したバイノーラル室内インパルス応答ＢＲＩＲである。
本発明の他の実施形態によると、関数Ｈ（Ｒ）は、例えば、バイノーラル伝達関数Ｈ（ｆ；Ｒ）とすることができるであろう。
これらの関数のいずれも、同時に音を放射する全てのラウドスピーカを用いて、又は上述のように音を放射する一度に１つのラウドスピーカ（又は、一度にラウドスピーカのサブグループ）のみを用いて判断することができることが理解される。
【００１１】
本発明の別の実施形態によると、競合音信号の受信を特徴付ける関数ＨC（ＲC；Ｒ）を更に判断することができ、従って、客室内に設置された音再現機器が発生させる望ましい音、客室内の不可避の背景ノイズ、及び例えば客室内の異なる位置からの人物の会話から成る、部屋、例えば車両客室の音場を模擬する可能性を提供する。
従って、この実施形態により、上述のシステムが提供され、システムは、代替の音信号を放出するための音発生手段を更に含む。この信号は、例えば、音再現機器が再現する音を聴音しようと実際に望む特定の試聴者に加えて、１人又はそれよりも多くの更に別の人物からの発話のような競合音信号とすることができるであろう。この場合、発話は、再現機器の知覚音品質を場合によっては劣化させる可能性があると考えられる競合音と見なされる。例えば、音再現機器がオンの間に携帯電話を通じて通信中に、発話信号を実際に望ましい音信号と見なすことができ、かつ再現機器が再現した音が競合又は妨害音として見なされると考えられる反対の状況もまた可能であろう。従って、「望ましい」又は「競合する」音という用語は、相対的であると見なされるものとし、これらの用語の特定の意味は、実際に扱う特定の状況に依存する。具体的に、上述の手段は、人工の口を設けた音響マネキンを含むことができると考えられる。
【００１２】
本発明のこの実施形態によると、システムには、音場に対して所定の向きＲを有する人工頭部の外耳道模造物内で又は模造物で発生した音圧と音発生手段に供給される入力信号との間の関係を特徴付ける関数ＨC（ＲC；Ｒ）を格納するための記憶手段が更に設けられ、ＲCは、音場に対する音発生手段の向きを表す、
本発明の特定的な実施形態によると、関数ＨC（ＲC；Ｒ）は、競合音に対応するバイノーラル室内インパルス応答ＢＲＩＲCである。
【００１３】
本発明は、更に、車両客室のような筐体内の模擬音場に対して聴音試験を実行するためのシステムに関連し、システムは、音場に対して所定の向きＲを有する人工頭部の外耳道模造物内で又は模造物で発生した音圧と室内に設けた電気音響再現機器への入力信号との間の関係を特徴付ける関数Ｈ（Ｒ）を格納するための記憶手段と、音響マネキン用いて定常又は疑似定常背景ノイズのような室内で行われた音信号のバイノーラル録音Ｎi（Ｒ）を格納するための記憶手段と、音楽抄録のような望ましい音信号を供給するための手段と、音場に対する被験者の頭部の移動及び／又は向きを追跡するための頭部追跡器を設けた、音響試験信号を被験者に供給するためのヘッドフォンのようなバイノーラル音再現手段と、頭部追跡器が感知する被験者の移動及び／又は向きに依存して望ましい音信号を処理するための信号処理手段と、処理済みの望ましい音信号を音信号のバイノーラル録音又はこれらの信号の処理済みバージョンと所定の割合で混合し、それによって混合信号を提供するための混合（又は加算）手段と、例えば本発明によるシステムを用いて実行される聴音試験中に用いるヘッドフォンの所定の望ましい伝達関数を得るために用いるヘッドフォンイコライザを含むことができると考えられる、混合済み信号をバイノーラル音再現手段の入力端子に供給するための処理手段とを含む。
【００１４】
本発明の特定的な実施形態によると、個々の関数ＨIND（Ｒ）を格納するための記憶手段が提供され、これらの個々の関数に基づいて関数Ｈ（Ｒ）を判断するための手段も提供することができる。
上述のように、関数Ｈ（Ｒ）は、バイノーラル室内インパルス応答ＢＲＩＲとすることができ、被験者の移動及び／又は向きに依存して望ましい音信号を処理するための処理手段は、この場合は、選択した望ましい音信号の選択したバイノーラル室内インパルス応答との畳み込みを実行するための手段を含むと考えられる。
上述のように室内の音場のシミュレーションに競合音も含める場合には、本発明により室内の模擬音場に対して聴音試験を実行するためのシステムはまた、競合音源の位置及び試聴者の頭部の向きに従って競合音のサンプルを処理するための手段を含む必要があると考えられ、これは、以下の本発明の詳細説明において詳細に説明する。
【００１５】
本発明は、更に、車両客室のような室内の音再現機器によって少なくとも部分的に発生される全体の音場を模擬する方法に関し、本方法は、再現機器に対応する複数のバイノーラル室内インパルス応答を判断し、これらの応答を格納する段階と、室内の背景ノイズのような他の音成分の複数のバイノーラル録音を行い、これらの録音を格納する段階と、バイノーラル室内インパルス応答のうちの選択したものの望ましい音信号のサンプルとの畳み込みが、この音に対応する得られる部屋関連シミュレーション信号を与える段階と、得られるシミュレーション信号を複数のバイノーラル録音のうちの選択した１つと混合し、それによってヘッドフォンのような適切なバイノーラル再現変換器手段を通じて被験者に供給するためのバイノーラル試験信号を取得する段階とを含み、バイノーラル再現変換器手段には、更に、被験者の頭部の動き及び／又は向きを追跡するための頭部追跡器のような手段が設けられ、追跡手段が供給する信号は、バイノーラル室内インパルス応答及びバイノーラル録音を選択するために用いられる。
【００１６】
本発明の方法の特定的な実施形態によると、本方法は、更に、追跡手段によって供給された信号により制御された、それぞれ、所定の第１のバイノーラル室内インパルス応答（ＢＲＩＲn）と、隣接する第２のバイノーラル室内インパルス応答（ＢＲＩＲn±1）との間、及び第１のバイノーラル室内インパルス応答に対応する所定のバイノーラル録音と、第２のバイノーラル室内インパルス応答に対応する隣接バイノーラル録音との間でクロスフェードする段階を含む。上述の「隣接する」バイノーラル室内インパルス応答は、指標ｎで表すインパルス応答に隣接する人工頭部の２つの向きのいずれかで人工頭部が録音するインパルスであるが、被験者が非常に敏速な頭部の移動を行う場合は、クロスフェードする段階において、人工頭部のより離れた向きに対応するインパルス応答を印加することも可能である。従って、クロスフェード手順における２つの隣接インパルス応答ＢＲＩＲn±1の適用を以下で具体的に説明するが、より遠いインパルス応答、すなわち、ｍ＞１の場合のＢＲＩＲn±mを用いることもできるであろう。
【００１７】
更に、本発明による方法を上述の競合音のシミュレーションに拡張することができ、従って、この実施形態による方法は、競合音に対応する複数の第２のバイノーラル室内インパルス応答を判断し、これらの応答を格納する段階と、第２のバイノーラル室内インパルス応答のうちの選択したものの競合音信号のサンプルとの畳み込みが、この競合音に対応する得られる第２の部屋関連シミュレーション信号を与える段階と、望ましい音、競合音、及び背景ノイズのシミュレーションを含む得られる試験信号を適切なバイノーラル変換器手段を通じて被験者に供給するために、得られる第２のシミュレーション信号とバイノーラル試験信号とを混合する段階とによって拡張される。
【００１８】
本発明によるシステム（及び方法）による聴音試験の実施を容易にするために、システムには、有利な態様においては、適切なインタフェース手段、すなわち、タッチスクリーン、キーボード、コンピュータマウスなどを通じて被験者から応答を収集し、また、任意的に聴音試験中に取得したデータの分析を行うために、システム内の様々な記憶手段又はデータベースからのデータ（録音したインパルス応答、バイノーラル録音等）の供給を制御するための操作手段が設けられる。聴音試験中の模擬音の再現は、必ずしも説明したようなヘッドフォンのみを通じてもたらされる必要はなく、例えば、シミュレーションの現実性を高める適切なサブウーファ又は触知手段（振動器）を通じて低周波音再現によって補うこともできるであろう。
【００１９】
従って、本発明は、更に、車両に設置した電気音響機器によって車両客室に少なくとも部分的に発生される音場を特徴付ける量又は音サンプルを録音するための本発明によるシステムと、車両客室内の模擬音場に対して聴音試験を実行するための本発明によるシステムとの使用、又は車両客室内の音場に関連する心理音響属性の評価のための、又は異なる車両の客室内の音場に関連するそのような心理音響属性を比較するための本発明による方法の使用に関する。
【００２０】
本発明の範囲はまた、上述の車両客室以外の部屋／環境内の音場の属性の評価及び比較に関連した本発明によるシステム及び方法の使用を網羅する。
更に、様々な機能項目（バイノーラル合成の手段、バイノーラル録音の手段など、これらの手段の各々は、本発明の以下の詳細説明で説明するクロスフェード手段あり及びなしの両方である）は、以下に説明するように互いに関連して排他的に用いることはできないが、同じく別々に用いることができることは理解される。すなわち、例えば、以下に説明するバイノーラル録音及び再現手段は、クロスフェード手段あり又はなしで、バイノーラル合成方法を実際に実施することが困難と考えられる大型機械施設に対して模擬するために別々に用いることができる。
本発明は、図面に関連して本発明の実施形態の以下の詳細説明を参照することにより、より良く理解されるであろう。
【発明を実施するための最良の形態】
【００２１】
図１は、本発明による測定及び録音システムの実施形態を示している。図１に示すシステムは、以下に対して適用される：
（１）増幅器の入力端子Ｉ1及びＩ2、又は例えば音質調節器又はシステムの周波数応答を成形するための他のフィルタ構成及びラウドスピーカＬＳ１、ＬＳ２、ＬＳ３、及びＬＳ４にそれぞれ信号を供給する出力端子Ｏ１、Ｏ２、Ｏ３、及びＯ４を有する適切な電力増幅器を含む他の音処理電気装置１１からの全音再現チェーンのバイノーラル車両インパルス応答（ＢＶＩＲ）を測定すること。しかし、下記に参照するように、測定システムは、再現システムの他の部分に関連するインパルス応答を測定するために用いることができることが理解される。
（２）背景ノイズ（本発明の〔発明の開示〕に説明した定常又は疑似定常ノイズ）のバイノーラル録音を行い、これらの録音を適切な記憶手段２２に格納すること。
【００２２】
図１は、システムの周波数応答を成形するための適切な音質調節器又はイコライザを有する増幅器のような電子音処理手段、並びに各々が出力端子０１、０２、０３、及び０４を通じて別々の電力増幅器から信号を受信するそれぞれ２つの前部ラウドスピーカＬＳ１及びＬＳ２とそれぞれ２つの後部ラウドスピーカＬＳ３及びＬＳ４とである４つのラウドスピーカを含む音再現機器を設けた車両１の客室２の概略的表現を具体的に示している。２つの前部ラウドスピーカは、例えば、一般的にそうであるように車両の前部ドアの中に設置するか、又は車両のダッシュボードの中に設置することができる。客室２は、それぞれ左及び右の前部座席である３及び４、及び後方座席５を更に含む。当然ながら、図示の個数のラウドスピーカも含んで実際のラウドスピーカ構成は、単に本発明の例として示しており、本発明のシステム及び方法を用いて純粋なモノラル設備（すなわち、１つのみの機器入力端子及び場合によっては１つのみのラウドスピーカ）を含むあらゆる他の音再現設備を模擬することができる。
【００２３】
設置した音再現機器の音品質を実際的な音響条件下で評価するなどの聴音試験を実行することを続いて可能にするために、適切な耳翼複製物及び対応するマイクロフォン１９を有する人工頭部１２及び実質的に垂直な軸の周囲の回転に向けて頭部１２を上に装着した胴体部分１３を含む音響マネキンを補助としてバイノーラル車両インパルス応答（ＢＶＩＲ）を測定する。胴体部分１３に対する、従って、車両客室２に対する頭部１２の回転は、胴体部分１３内に収容するモータを含む駆動機構に制御信号１８を供給する測定システム１０によって制御する。従って、この構成を用いて車両客室２に対する頭部１２の所定数の回転角に応じてＢＶＩＲを測定することができる。対応する頭部回転角を定める識別子と共に測定システム内の適切なデータ記憶手段の中にこれらの測定したインパルス応答の各々を格納する。
【００２４】
図１に示す設定では、マネキン１２、１３は、例示的に後方座席５の右側に位置するが、当然ながらマネキンは、運転者座席３上を含む車両客室内のあらゆる実際的位置に位置させることができる。
本発明のこの実施形態に関連して説明する音響マネキンは、試聴者の胴体に対する水平な頭部移動に対応するマネキンを通る垂直軸の回りに制御された回転を受けることができる頭部１２を含むが、より精巧なマネキンは、水平方向及びマネキンを通る垂直平面の両方に制御された移動を提供することができ、従って、少なくとも解剖学的に判断される制限内で被験者が胴体に対する頭部のあらゆる移動を行うことが自由な完全に実際的な聴音セッションのシミュレーションのための基礎を提供することが理解される。例えば、試験中に被験者の胴体に対する頭部の移動の完全な自由を可能にし、シミュレーション中に実際にこれを算入する、車両客室内の模擬音場に対する聴音試験を実行する機能は、試聴者に対して異なる垂直レベルに位置するラウドスピーカを含む２つのラウドスピーカ構成を比較するなどのある一定の状況下で非常に重要なものとすることができる。
【００２５】
図１に戻ると、この実施形態によるシステムは、上述のＢＶＩＲを判断するための測定システム１０を更に含み、測定システム１０には、それぞれ人工頭部１２内のマイクロフォン１９及び２０のための信号１４及び１５を受信する（少なくとも）２つの入力端子Ｉ1及びＩ2を設ける。測定システム１０には、インパルス応答を測定するために用いる適切な信号を提供するための発生器手段を更に設け、この信号を測定システム１０の出力端子１６に供給し、車両の音処理機器１１の入力端子ＩL及びＩRに結合する。ＢＶＩＲの測定は、原則として音処理装置１１の両方の入力端子に結合した発生器からの信号によって行うことができるが、通常は、この装置のチャンネルの各々におけるインパルス応答を別々に測定することになる、すなわち、いずれかの位置Ｌ又はＲにあるスイッチＳＷ１を用いて２つの連続した測定を実行することになる。
【００２６】
上述のように、本発明によるシステムの実施形態による測定システム１０は、マネキンにおける頭部１２の駆動手段に制御信号１８を送出するための手段を更に含む。更に、測定システム１０は、測定したインパルス応答を実際に格納するための手段を含むことができるが、好ましくは、これらのデータを適切な水平角識別子と共に、その後の使用に向けて図１には示していないが図３に示してそれに関連してより詳細に説明する手段のようなデータ記憶手段又はデータベースに転送することになる。
【００２７】
図１に示す本発明の実施形態によるシステムの第２の部分は、様々な頭部の角度の向きにおいて作られる異なる駆動条件において客室内のノイズのバイノーラル録音を格納するための更に別のデータベースであり、測定システム１０によって供給することができる（図１に示す制御線２３上で）適切な水平角識別子を適切に設けたデータベースを含むことができるバイノーラル録音装置２２を含む。しかし、バイノーラル録音装置は、必ずしも測定システム１０から制御する必要のない完全に別の装置とすることができ、バイノーラル録音装置２２の上述の識別子は、適切なインタフェースを通じて純粋に手動の手段によって提供することができることが理解される。代替的に、バイノーラル録音装置２２は、人工頭部内の頭部駆動手段に制御信号７１を送出するための制御手段をそれ自体に備えることができる。
【００２８】
上述のように測定するバイノーラル車両インパルス応答（ＢＶＩＲ）は、図１のＩ、ＩＩ、ＩＩＩ、及びＩＶによって示す伝達経路に客室の様々な境界からの音反射に対応する全ての伝達経路を加えたものに基本的に対応する。これらのインパルス応答は、特定の車両客室内に設置されたオーディオ機器の音の再現、すなわち、本発明の関連では「望ましい音」に関する。同様に、バイノーラル録音装置２２が録音するノイズ信号は、本発明の関連の中で「望ましくない」又は「邪魔な」音を表し、これは、それ自体がうるさく、又は／及び望ましい音の知覚音品質（又は、発話明瞭度のような他の関連心理音響属性）に影響を与える場合があるものである。
【００２９】
ここで図２を参照すると、１つの（又は、必要に応じて複数の）競合音源（原則として定常ノイズ又は時間変化信号のいずれかを放出することができる）のシミュレーションのために用いる設定を示している。図２に示す例では、競合音は、右前部座席に座る発話者であり、試聴者は、ここでも図１と同様に後方座席の右側に座っている。右前部座席の発話者からの発話信号は、客室内の音再現機器の試聴者の知覚に影響を与える可能性があり（純粋に音響的な因子又は試聴者の注意散漫によるより心理的な因子のいずれかに起因して）、図２における設定のみ又は図１に関連して上述したようなバイノーラルに録音した背景ノイズとの合成でこの影響を模擬する。競合音の影響は、音響マネキン２４に供給する測定システム１０からの出力信号と共にバイノーラル車両インパルス応答を測定及び格納することによって模擬し、音響マネキン２４には、その頭部に人間の口の模造物から放出する発話信号を模擬するために変換器手段２４’（「人工の口」等）を設ける。従って、測定システム１０によって提供される測定信号をマネキン２４の口シミュレータ２４’に送出し、更に、この口シミュレータ２４’から放出し、マネキン１２、１３のマイクロフォン１９及び２０によって拾って、図１に関連して上述したように測定システム１０の入力端子Ｉ１及びＩ２に送出する。ここでもまた、人間の試聴者を模擬するマネキンの頭部１２のいくつかの向きに対して、更に、必要に応じて発話者を模擬するマネキン２４のいくつかの向きに対して、これらのインパルス応答を測定及び格納することができる。当然ながら、発話以外の他種の競合音が、本発明の内容に関連する場合があることが理解される。所定のバイノーラルインパルス応答（すなわち、２つのマネキンの所定の頭部の向きを有する）は、様々な音伝達経路からの寄与を含み、そのうちの３つ、すなわち、客室の側部又は窓部分からの反射ＶＩＩ及びＶＩＩＩ、並びに直接の音伝達経路ＶＩを図２に示している。
【００３０】
図３を参照すると、ここでは本発明による再生／シミュレーションシステムの実施形態の略ブロック図を示している。この実施形態によるシステムは、図１及び２に示す設定を用いて得られる音楽抄録、バイノーラル車両インパルス応答（ＢＶＩＲ）、及びバイノーラル録音のような望ましい音のサンプルを格納するための図３にＤＢＩ、ＤＢＩＩ、及びＤＢＩＩＩと記すデータベースを含む。このシステムは、データベースからの信号を処理及び合成するための様々な信号処理手段、これらの処理済み信号を再現するための手段、及びこのシステムを用いて実施した聴音試験セッションを制御するための制御手段を更に含む。最後に、このシステムは、適切な被験者応答インタフェースを含み、これを用いて、被験者は、システムが供給する様々な音刺激に応答することができ、かつこれは、被験者が出す応答を格納し、場合によっては分析するための応答記憶及び／又は分析手段に連結している。
【００３１】
参照番号３０は、例えば、車両内のオーディオ設備を通じて典型的に再現される様々な音楽抄録又は他の音素材から構成することができる音ファイル（音サンプル（１）．．．）の未処理バージョンを含むデータベースＤＢＩを表している。
参照番号３１は、図１に示す設定を用いて測定する人工頭部１２の耳部マイクロフォン１９、２０への電気入力ＩL及びＩRからの完全な音再現チェーンに対応するバイノーラル車両インパルス応答、すなわち、上述の人工頭部１２の向きの各々に関する１つのＢＶＩＲを含むデータベースＤＢＩＩを表している。図３では、これらのインパルス応答をＢＶＩＲ（Ｒ）によって表しており、ここでＲは、マネキンの胴体１３又は車両客室２に対する頭部の向きを表す、頭部に関するベクトルである。
参照番号３２は、図１に関連して上述したように、人工頭部１２を通じて録音した車両からの定常又は疑似定常ノイズのバイノーラル録音を含むデータベースＤＢＩＩＩを表している。ベクトル表記Ｎi（Ｒ）によって様々なノイズ信号を表し、ｉは、データベース内の様々なノイズ例を表し、Ｒは、人工頭部１２の向きを表している。
【００３２】
上述のデータベース内に格納するデータに基づいて、客室内に設置されたオーディオ機器の音再現に車両からの様々な背景ノイズを加えたものが、図３に示す再生システムによって模擬及び再現される。被験者が着用するヘッドフォン３９に付随する適切な頭部追跡装置４２を用いて評価された被験者の頭部の実際の向きに対応するＤＢＩＩに格納された適切なＢＶＩＲnとのデータベースＤＢＩからの選択音サンプルの畳み込み（図３のブロック３５内で星印によって表記している）により、望ましい音の再現が模擬される。人工頭部１２の２つの隣接する向きに対応するバイノーラル車両インパルス応答ＢＶＩＲn±1と共に、選択した望ましい音信号を更に畳み込む。
【００３３】
すなわち、処理手段３４において、追跡手段４２による被験者の頭部の追跡に基づいて選択される２つのバイノーラル車両インパルス応答ＢＶＩＲn及びＢＶＩＲn±1４５、４６との選択した望ましい音信号４７の畳み込みを行い、従って、望ましい音信号４７の第１及び第２の処理済みバージョン３３’、３３’’がそれぞれ生成され、これらの２つのバージョン３３’、３３’’を別々にクロスフェード手段３６’、３６’’に供給し、処理手段３４から合成出力信号４９を提供するために、これらのクロスフェード手段の各々からの出力信号を結合手段７１に供給する。
【００３４】
本発明の特定的な実施形態によると、クロスフェード手段３６は、第１のバージョン３３’に第１の時間依存関数ｑ（ｔ）を乗算して第１の出力信号を生成するための手段３６’、第２のバージョン３３’’に第２の時間依存関数ｐ（ｔ）を乗算して第２の出力信号を生成するための手段３６’’、及び第１及び第２の出力信号を加算し、それによって処理手段３４からの処理済み出力信号４９を供給するための手段７１を含む。
具体的に、第２の関数ｐ（ｔ）は、１／ｑ（ｔ）と等しくすることができると考えられるが、ｑ（ｔ）とｐ（ｔ）の間の他の関係も可能であろう。
【００３５】
再生中には、被験者頭部の特定の向き及び移動に対応する特定の処理済み信号４９をミキサー４１内で対応する処理済みノイズ信号７０と混合する。ノイズ信号に対する処理は、上述の望ましい音信号の処理中に行うクロスフェードに類似する（しかし、当然、処理手段３４で実行する畳み込みなしで）方式で行い、すなわち、所定のノイズ信号Ｎｉ（Ｒ）と、隣接するノイズ信号、すなわち、人工頭部１２の隣接する向きにおいて録音したノイズ信号との間のクロスフェードを上述の方式で実施し、従って、処理済みバイノーラルノイズ信号７０が生じる。処理済みの望ましい音信号に対応する信号４９と処理済みのノイズ信号に対応する信号７０とを含む混合済み信号（必要に応じて、混合段階には、これらの信号の個々のレベルの相対的調節を組み込むことができる）は、例えば、ヘッドフォン３９の望ましい伝達関数を得るために用いる適切な周波数成形又は他の信号処理手段４０を通じて（必要に応じて）ヘッドフォン３９に供給される。
【００３６】
上述のように、データベースＤＢＩＩ（３１）は、代替的に、個々の関数ＨIND（Ｒ）を含むことができる。この場合には、処理手段３４は、適切な個々の関数に基づいて関数Ｈ（Ｒ）を判断するための手段を更に含む必要がある。
更に別の代替案として、データベースＤＢＩＩ（３１）は、個々の関数ＨIND（Ｒ）及び対応する関数Ｈ（Ｒ）の両方を含むことができ、関数Ｈ（Ｒ）は、対応する個々の関数に基づいて予め判断されるか、又は設備内の全てのラウドスピーカからの音放射によって測定されるかのいずれかである。
【００３７】
図４を参照すると、車両客室内の競合音を模擬するための手段を設けた本発明による再生システムの第２の実施形態の略ブロック図を示している。図３に示すものと類似する装置及び関数ブロックを図３と同じ参照番号で記しており、再度説明しないことにする。
この実施形態によると、音場に対して所定の向きＲを有する人工頭部１２の外耳道模造物内で又は模造物で発生した音圧と、音発生手段２４（図２で適切な人工口を設けた人工頭部２４で例示する）に供給する入力信号との間の関係を特徴付けるＢＶＩＲのような関数ＨC（ＲC；Ｒ）を格納するための記憶手段５８が更に設けられ、ここでＲCは、音場に対する音発生手段２４の向きを表している。
【００３８】
この実施形態によるシステムは、追跡手段４２が感知する被験者の移動及び／又は向きに依存する競合音信号６８を処理し、それによって処理済み競合音信号６７を提供するための処理手段６０と、処理済み競合音信号４７を音信号のバイノーラル録音又はこれらの信号の処理済み３７バージョン７０、及び望ましい音信号の処理バージョン４９と所定の割合で混合するための混合手段４１とを更に含み、それによって混合済み信号５０は、直接又は上述のように適切な処理手段４０を通じてのいずれかでヘッドフォン３９に供給される。
特定的な実施形態によると、関数ＨC（ＲC；Ｒ）は、バイノーラル車両インパルス応答ＢＶＩＲCであり、処理手段６０は、選択競合音信号６８と、競合音に対応する選択バイノーラル車両インパルス応答ＢＶＩＲCとの畳み込みを実行するための手段６１を含む。
【００３９】
すなわち、本発明のこの実施形態によると、処理手段６０において、選択競合音信号６８と、追跡手段４２による被験者の頭部の追跡に基づいて選択される２つのバイノーラル車両インパルス応答（ＢＶＩＲC、n、ｎ及びＢＶＩＲC、n±1）６５、６６との畳み込みを行い、従って、競合音信号６８の第１及び第２の処理済みバージョン６１’、６１’’がそれぞれ生成され、これらの２つのバージョン６１’、６１’’をクロスフェード手段６２’、６２’’に別々に供給し、処理手段６０から合成済み出力信号６７を提供するために、これらのクロスフェード手段の各々からの出力信号を結合手段６３に供給する。
【００４０】
クロスフェード手段６２は、第１のバージョン６１’を第１の時間依存関数ｑ1（ｔ）と乗算して第１の出力信号を生成するための手段６２’及び第２のバージョン６１’’を第２の時間依存関数ｐ1（ｔ）と乗算して第２の出力信号を生成するための手段６２’’を含む。具体的に、ｐ1（ｔ）は、１／ｑ1（ｔ）に等しくすることができる。
図４に示す実施形態によるシステムは、競合音信号のサンプルを格納するための記憶手段５９を含む。
【００４１】
本発明の〔発明の開示〕及び本発明の〔発明を実施するための最良の形態〕に説明する本発明によるシステムの特定的な実施形態によると、記憶手段又はデータベース３１及び５８は、一人の試聴者に対して２つの同時音源、すなわち、車両内に設置された様々なラウドスピーカを含む音再現機器の左右のチャンネルに関するデータを含むＢＶＩＲを含む。再現機器に対応するバイノーラル車両インパルス応答を含むデータベース３１は、１度きざみで水平面の−３０度から＋３０度の範囲にわたる人工頭部／被験者の頭部の６１個の向きＲに関するＢＶＩＲを収容することができる。これは、再現機器の単一の物理的設定に対応する。一般的に、複数のそのような記憶手段／データベースをシステム内に組み込むことができ、再生システムによって統御することができ、従って、異なる再現機器設定間での迅速な切り換えが可能になる。畳み込みソフトウエアは、いくつかのユーザプログラマブル動的リンクライブラリ（ＤＬＬ）を含むことができ、ソフトウエアへの追加モジュールのプログラミングが可能になる。そのような機能は、同じく聴音試験中の背景ノイズの再生に関連して用いることもできる。更に、記憶手段３２からのバイノーラル録音の再生は、ループ方式で行うことができ、それによってこの記憶手段内に格納する音ファイルを比較的短くすることができ、これは、移動している車両内のこれらの音ファイルへの実際の録音中に有利である。
【図面の簡単な説明】
【００４２】
【図１】主要音伝達経路を含むバイノーラル車両インパルス応答（ＢＶＩＲ）を測定するための及び車両客室内の背景ノイズのバイノーラル録音を行うための本発明の実施形態による設定の概略的かつ例示的な図である。
【図２】図１に示すものと同じ基本的設定であるが、今度は競合音、すなわち、図２の例で右前部座席に座っている人物からの発話に対応するバイノーラル車両インパルス応答を測定するために用いるものを表す図である。
【図３】例えば図１の車両内に設置したオーディオ再生機器の音品質に対して聴音試験を実行するための本発明による再生システムの実施形態の略ブロック図である。
【図４】車両客室内の競合音を模擬するための手段を設けた本発明による再生システムの第２の実施形態の略ブロック図である。
【符号の説明】
【００４３】
３１  データベース
３６、３７  クロスフェード関数
３９  ヘッドフォン
４１  データの混合
４２  頭部追跡器
【図１】
2008546270.tif 000003
【図２】
2008546270.tif 000004
【図３】
2008546270.tif 000005
【図４】
2008546270.tif 000006
【国際調査報告】
2008546270.tif 000007
2008546270.tif 000008
2008546270.tif 000009